(57)【要約】      （修正有）【課題】プレイヤーがスイングやパッティングを行う際に練習で会得した内容をゴルフ場で正確に再現でき、また、打ち出し方向やグリーンの傾斜方向及び傾斜度を正確に認識でき、更に、スイングやパッティングを行う際の頭部のブレを防止できるゴルフの補助用具セットを提供する。【解決手段】長方形状又はほぼ楕円形状の本体部２０と、帽子のツバに取り付け可能なホルダ部３０とを備え、前記本体部の裏面と前記ホルダ部の表面とが磁力により着脱自在に構成され、前記本体部が、その表裏各面において長手方向にのびる第１の直線２２と、側面に形成した切り欠き部とを備え、前記ホルダ部の裏面には、当該ホルダ部を帽子のツバに取り付けた状態において下方に放射状にのびる複数の位置決め線３３Ａ、３３Ｂ、３３Ｃを備える。【選択図】図４
0003169010.tif 000002
【実用新案登録請求の範囲】
【請求項１】
長方形状又はほぼ楕円形状の本体部と、帽子のツバに取り付け可能なホルダ部とを備え、
前記本体部の裏面と前記ホルダ部の表面とが磁力により着脱自在に構成され、
前記本体部が、その表裏各面において長手方向にのびる第１の直線と、側面に形成した切り欠き部とを備え、
前記ホルダ部の裏面には、当該ホルダ部を帽子のツバに取り付けた状態において下方に放射状にのびる複数の位置決め線を備えることを特徴とするゴルフの補助用具セット。
【請求項２】
前記本体部が、その表面及び裏面のうち少なくともいずれか一方の面において前記第１の直線に直交して短手方向にのびる第２の直線を備えることを特徴とする請求項１に記載のゴルフの補助用具セット。
【請求項３】
前記本体部の表面に小球体を転動自在に収納する収納部を備えることを特徴とする請求項１又は２に記載のゴルフの補助用具セット。
【考案の詳細な説明】
【技術分野】
【０００１】
本考案は、スイングやパッティングを行う際に練習で会得した内容をゴルフ場で正確に再現でき、また、打ち出し方向やグリーンの傾斜方向及び傾斜度を正確に認識でき、更に、スイングやパッティングを行う際の頭部のブレを防止できるゴルフの補助用具セットに関する。
【背景技術】
【０００２】
近年のゴルフ人気の高まりに伴い、ゴルフ教室に参加したりゴルフ練習場で練習することで技術の向上を目指す者が増えている。
スコアを伸ばすためには日々練習を重ねることで技術を継続的に向上させていく必要があるが、これは容易ではない。
例えば、多くのプレイヤーがスイングの最中に飛んでいくボールの軌道を意識してしまい、ボールから目を逸らせてしまうため、いわゆるヘッドアップや頭部のブレが生じ、当初予定していた打ち出し方向とは異なる方向にボールが飛んでしまうことがある。
そこで、少なくともクラブヘッドがボールにヒットするまではボールから目を逸らさないようにヘッドアップや頭部のブレを防止できる装置が開発されている。
例えば、特許文献１には、帽子のツバに小型ランプを設け、ランプの光をボールに当てた状態を維持しながらスイングすることで、ヘッドアップや頭部のブレを防止できる装置が開示されている。
【０００３】
また、グリーンには複雑な傾斜が生じていることから、ホール（カップ）に向けて的確なパッティングを行うために、グリーンの傾斜方向や傾斜度を把握できる装置も開発されている。
例えば、特許文献２には、マーカー本体に小球体を転動自在に収納する空間部を形成し、この空間部の球体転動面における小球体の静止位置によってマーカー本体の傾斜方向および傾斜度を把握できるボールマーカーが開示されている。
【先行技術文献】
【特許文献】
【０００４】
【特許文献１】実開平７−１９３３４号公報
【特許文献２】特開２００１−２８６５９０号公報
【考案の概要】
【考案が解決しようとする課題】
【０００５】
しかし、上述した従来技術では以下のような問題がある。
すなわち、特許文献１の装置では、小型ランプを取り付けた帽子のツバからボールまでの距離が遠いため、頭部がごく僅かにブレただけで光が容易にボールから逸れてしまうという問題がある。また、帽子の重量と比較して重量物となる小型ランプを帽子のツバに取り付けるため、帽子全体の重心位置がツバ側に移動し、プレイ中に帽子がずれやすくなるという問題がある。
【０００６】
また、特許文献２の装置ではグリーン上の一点（ボールがある位置）における傾斜方向や傾斜度は把握できるが、ボールの打ち出し方向は把握できないという問題がある。
すなわち、プレイヤーは通常パッティング動作に入る前に、グリーン上でボールの後方に移動し、ホールとボールとを結ぶライン、グリーンの芝目の状態、傾斜方向及び傾斜度等を総合的に判断してボールの打ち出し方向を決定するが、特許文献２のボールマーカーでは打ち出し方向を指示する機能がない。
したがって、プレイヤーはボールの後方に位置した状態で、打ち出し方向に存在している樹木などを目標物として打ち出し方向を定めた上で、ボールの側方に移動してアドレスに入ることになる。
【０００７】
しかし、ボールの後方に居た際の視点の位置とアドレスした状態の視点の位置は大きく異なるため、ボールの後方位置において定めた目標物に向けて実際にボールを打ち出した場合、本来打ち出すべきであった方向とは異なる方向になっていることが多く、正確なパッティングが困難になるという問題がある。
なお、このような当初定めた打ち出し方向とは異なる方向に打ち出してしまうという問題はパッティング時のみならず、ティーショット時にも生じる。
【０００８】
また、ゴルフ教室やゴルフ練習場等の比較的狭いスペースではプレイヤーの周囲に目標物となるものが多数存在するため、その目標物を目印にすることで正確なスタンスやアドレスをとることは比較的容易であるが、ゴルフ場ではプレイヤーの周囲に目標物となるものが少なく、また、プレイ中に移動する毎に目標物が変わってしまうので、練習で会得した技術をゴルフ場では上手く再現できないという問題もある。
【０００９】
本考案は上記問題に鑑み、プレイヤーがスイングやパッティングを行う際に練習で会得した内容をゴルフ場で正確に再現でき、また、打ち出し方向やグリーンの傾斜方向及び傾斜度を正確に認識でき、更に、スイングやパッティングを行う際の頭部のブレを防止できるゴルフの補助用具セットを提供することを目的とする。
【課題を解決するための手段】
【００１０】
本考案のゴルフの補助用具セットは、長方形状又はほぼ楕円形状の本体部と、帽子のツバに取り付け可能なホルダ部とを備え、本体部の裏面と前記ホルダ部の表面とが磁力により着脱自在に構成され、本体部が、その表裏各面において長手方向にのびる第１の直線と、側面に形成した切り欠き部とを備え、ホルダ部の裏面には、当該ホルダ部を帽子のツバに取り付けた状態において下方に放射状にのびる複数の位置決め線を備えることを特徴とする。
また、本体部が、その表面及び裏面のうち少なくともいずれか一方の面において第１の直線に直交して短手方向にのびる第２の直線を備えることを特徴とする。
また、前記本体部の表面に小球体を転動自在に収納する収納部を備えることを特徴とする。
なお、「長方形状」には、字義どおりに四つの角が全て直角の形の他、角を丸めたものも含むものとする。
また、「ほぼ楕円形状」には、字義どおりの楕円形状の他、長円形状、円を２面でそぎ落した形状、一般に卵形、小判形等と称される形状も含むものとする。
【考案の効果】
【００１１】
本考案のゴルフの補助用具セットは、まずプレイヤーは練習時に適切なアドレスをとった状態において、本体部の第１の直線が地面に対して例えば垂直となる状態を維持しながら本体部を帽子のツバに取り付けたホルダ部に装着する。そして、第１の直線がホルダ部の複数の位置決め線のうち、どの位置決め線と重なっているかを記憶しておく。そして、ゴルフ場においてスイングやパッティングを行う際には、練習時に記憶しておいた特定の位置決め線と重なるように第１の直線の位置を調節して本体部をホルダ部に取り付ける。そして、第１の直線が地面に対して垂直となった状態のままアドレスをとることで、練習で会得した姿勢をゴルフ場で正確に再現することができる。
【００１２】
また、ティーショットやパッティングの際にボールの打ち出し方向を決定した後は、第１の直線が当該打ち出し方向と重なるように本体部を地面に置くと共に切り欠き部内にボールを配置してスタンスを決める。これにより打ち出し方向を正確に認識することができる。
特に、本体部の形状を長方形状又はほぼ楕円形状として第１の直線を長手方向に可能な限り長くすることで、打ち出し方向のガイドとしての機能を高めている。
また、第１の直線が地面に対して例えば垂直となる状態を維持するように気をつけながらスイングやパッティングを行うことで、ヘッドアップや頭部のブレを防止することができる。
また、第１の直線に直交する第２の直線を備えることで、切り欠き部内に配置した状態のボールの位置を調整することが容易になる。
また、収納部内に小球体を収納しておく場合には、本体部表面上の小球体の位置を見ることでグリーンの傾斜方向及び傾斜度を正確に認識できる。
【図面の簡単な説明】
【００１３】
【図１】本体部の表面の平面図（ａ）及び裏面の平面図（ｂ）である。
【図２】ホルダ部の表面の平面図（ａ）及び裏面の平面図（ｂ）である。
【図３】本体部をホルダ部に装着した状態を示す側面図である。
【図４】本体部をホルダ部に装着した状態を示す背面図である。
【図５】ゴルフの補助用具セットの使用方法を説明するための概略図である。
【図６】ゴルフの補助用具セットを帽子のツバに取り付けた状態を示す斜視図である。
【図７】ゴルフの補助用具セットをプレイヤー側から見た状態を示す図である。
【図８】収納部の構造を説明するための平面図（ａ）及び側面図（ｂ）である。
【図９】本体部の他の実施例を示す平面図である。
【考案を実施するための形態】
【００１４】
［第１の実施の形態］
図１及び図２に示すように、本考案の第１の実施の形態におけるゴルフの補助用具セット１０はほぼ楕円形状の本体部２０とホルダ部３０とを備える。
本体部２０の表面２１には、その長手方向にのびる第１の直線２２と、この第１の直線２２に直交して短手方向にのびる第２の直線２３が形成されている。第１及び第２の直線２２、２３は本体部２０の表面２１に印刷してもよいし、本体部２０をプラスチックなどの合成樹脂で成形する場合には、本体部２０と一体成形してもよい。
本体部２０の裏面２４には、その長手方向にのびる第１の直線２２が形成されている。また、本体部２０の裏面２４の中央部には磁石２５が取り付けられている。
【００１５】
本体部２０の側面には切り欠き部２６が形成されている。本実施の形態においては切り欠き部２６が円弧状に形成されている。
本体部２０の寸法は特に限定されるものではないが、携帯性を考慮すると長手方向は１０センチ程度、短手方向はゴルフボールの直径（約４３ミリ）より若干小さい長さにするのが好ましい。
【００１６】
図２に示す通り、ホルダ部３０は円形の薄板状の部材であり、鉄等の磁着性材料で形成されている。
ホルダ部３０の裏面３１には、帽子４０のツバ４１（図６参照）に取り付け可能となるようにフック３２が形成されている。
フック３２には複数の位置決め線３３（Ａ〜Ｃ）が描かれており、フック３２を利用してホルダ部３０を帽子４０のツバ４１に取り付けた状態では、これら複数の位置決め線３３Ａ〜Ｃは下方に放射状にのびた状態になる。
そして、図３及び図４に示す通り、本体部２０の裏面２４の磁石２５を介して本体部２０とホルダ部３０とが着脱自在な構成となっている。
【００１７】
次に本実施の形態におけるゴルフの補助用具セット１０の使用方法について説明する。
まず、図５に示すように、ティーショットを行う際にはプレイヤーは打ち出し方向Ｌを決定し、第１の直線２２がその打ち出し方向Ｌに重なるように調節した上でティーグラウンド上の見易い位置に本体部２０を置く。
次に、ティーアップした状態又はティーグラウンド上に置いた状態のボール５０の近傍まで移動し、左右の足５２を結ぶ線が第１の直線２２に対して平行になるように足５２の位置を調節してスタンスを決める。
次に、スタンスを動かさずに本体部２０を拾い上げ、図６に示す通り、予め帽子４０のツバ４１に取り付けてあるホルダ部３０に装着する。
図７に示す通り、この際にプレイヤーは本体部２０の裏面２４の第１の直線２２が、ホルダ部３０の複数の位置決め線３３Ａ〜Ｃのうち、予め定めてある一つの位置決め線３３Ｃと一致するように本体部２０の位置を調節する。
【００１８】
具体的には、プレイヤーはゴルフ教室で指導を受けている際やゴルフ練習場で練習している際に、ホルダ部３０を帽子４０のツバ４１の特定の位置（例えば最先端位置）に取り付けることに決めると共に最適なスタンスをとった状態において、第１の直線２２が地面に対して例えば垂直になる状態で本体部２０をホルダ部３０に装着し、その状態で複数の位置決め線３３Ａ〜Ｃのうちどの位置決め線が第１の直線２２と重なっているかを特定し、この位置決め線を記憶しておく。
ここで、例えばプレイヤーにとって頭部が僅かに前方を向いた状態が最適なスタンスである場合には、図７に示すように、複数の位置決め線３３Ａ〜Ｃのうち後方側の位置決め線３３Ｃに第１の直線２２が重なった状態が最適な姿勢（アドレス）をとった状態となる。
換言すると、プレイヤーはティーグラウンド上でアドレスする際に、ホルダ部３０に対して適切な位置に取り付けた本体部２０の第１の直線２２が地面に対して垂直になっていれば、練習で会得した通りに正しくアドレスしていることを容易に確認することができる。
【００１９】
なお、図７は本体部２０及びホルダ部３０をプレイヤー側から見た状態を示しており、本体部２０は帽子４０のツバ４１から半分ほど下方に露出している。この状態ではプレイヤーは本体部２０の先端の一部が視野に入っているにすぎないため、プレイの妨げになることはない。
次にスイングを開始する。
プレイヤーはスイングを開始してからクラブヘッドがボール５０にヒットするまで、視野の上部に見えている本体部２０の先端が移動しないように注意しながらボール５０から視線を逸らさないようにすることで、頭部のブレやヘッドアップを防止できる。
グリーン上においては、プレイヤーはパッティングに入る前に、ボール５０の後方に移動し、ホールとボール５０とを結ぶライン、芝目の状態、グリーンの傾斜方向及び傾斜度等を総合的に判断してボール５０の打ち出し方向Ｌを決定する。
そして、図５に示すように、第１の直線２２が打ち出し方向Ｌに重なるようにして本体部２０をグリーン上に置く。
【００２０】
そして、ボール５０を本体部２０の切り欠き部２６内に収まるように置くか、あるいは、グリーン上のボール５０に対して側方から本体部２０を移動させて切り欠き部２６をボール５０の近傍に位置させる。
通常、ボール５０には製造メーカの社名やブランド名等の文字が記載されていたり、あるいは位置決め用のライン５１がボール５０の周囲に入っているので、これら文字の配列方向や位置決め用のライン５１が第１の直線２２又は第２の直線２３と平行になるようにボール５０を回転させながら位置を調整することが好ましい。
次に、プレイヤーはボール５０及び本体部２０の近傍まで移動し、左右の足５２を結ぶ線が第１の直線２２に対して平行になるようにスタンスを決める。
次に、スタンスを動かさずに本体部２０を拾い上げ、帽子４０のツバ４１に取り付けてあるホルダ部３０に装着する。
【００２１】
この際も同様にプレイヤーは本体部２０の裏面２４の第１の直線２２がホルダ部３０の特定の一つの位置決め線３３Ｃと一致するように本体部２０の位置を調節する。
そして、第１の直線２２が地面に対して垂直になる状態となるように頭部の位置を調節することで最適なアドレスをとる。
このようにスタンスとアドレスを正確に行った状態でパッティングを開始する。
プレイヤーは、パッティングを開始してからクラブヘッドがボール５０にヒットするまで本体部２０の先端の位置が移動しないように注意することで、頭部のブレやヘッドアップを防止することができる。
【００２２】
［第２の実施の形態］
次に、本考案の第２の実施の形態について説明する。なお、上記第１の実施の形態と同様の構成となる箇所については同一の符号を付してその説明を省略する。
図８に示す通り、本実施の形態のゴルフの補助用具セット７０は、本体部２０の表面２１に小球体６０を転動自在に収納する収納部６１を備えることを特徴とする。
収容部６１はアクリル樹脂等の透明な材料で構成されており、内部に空間ができるように本体部２０の表面２１を覆っている。
収容部６１の内部の空間には鋼鉄、ステンレス又はプラスチック等の樹脂からなる小球体６０が収容されており、小球体６０は本体部２０の傾斜にしたがって空間内を自在に転動するようになっている。
このように収容部６１及び小球体６０を備えることで、本体部２０をティーグラウンドやグリーン上に置いた際に地面の傾斜方向や傾斜度を把握することができるので、打ち出し方向Ｌを正確に決定することができる。
【００２３】
なお、上記各実施の形態においては、ホルダ部３０がフック３２を利用して帽子４０のツバ４１に取り付け可能としたが、当然のことながらフック３２を利用してポケットの縁などに取り付けることができる。
また、位置決め線３３がフック３２に描かれているものとしたが、これに限らず、フック３２に複数の直線状の開口を設けることでこの開口を位置決め線３３としてもよい。
また、３本の位置決め線３３Ａ〜Ｃが下方に放射状にのびるものとしたが、位置決め線３３の本数は限定されるものではなく、１本以上あればよい。
また、本体部２０の形状としては例えば図９に示すように、第１の直線２２に沿って長手方向に大きく切り欠き部２６を形成してもよい。
【００２４】
また、本体部２０の裏面２４に磁石２５を備えるものとしたが、これに限らず、ホルダ部３０の表面３４に磁石２５を備えて、本体部２０を磁着性を有する材料で形成してもよい。
また、使用方法としては、第１の直線２２を地面に対して垂直にすることで正しいアドレスであることを確認できるものとしたが、これに限らず、例えばプレイヤーから見た場合に、第１の直線２２の延長線上にボール５０やプレイヤーの身体の一部（例えばつま先）が重なっている状態を正しいアドレスの状態とするなど、適宜変更してもよい。すなわち、ツバ４１に対するホルダ部３０の取り付け位置、ホルダ部３０の複数の位置決め線３３Ａ〜Ｃに対する本体部２０の第１の直線２２の位置、正しいアドレス状態における第１の直線２２の状態（地面に対する傾斜度合い、ボール５０やプレイヤーの身体の特定の一部との重なり具合など）はプレイヤー自身が自己のスタイルに合わせて最も使用し易いように任意に決定すればよい。
また、ホルダ部３０を使用しない場合には本体部２０のみをいわゆるゴルフボールマーカーとして利用できる。
【産業上の利用可能性】
【００２５】
プレイヤーがスイングやパッティングを行う際に練習で会得した内容をゴルフ場で正確に再現でき、また、打ち出し方向やグリーンの傾斜方向及び傾斜度を正確に認識でき、更に、スイングやパッティングを行う際の頭部のブレを防止できるゴルフの補助用具セットに関するものであり、産業上の利用可能性を有する。
【符号の説明】
【００２６】
Ｌ    打ち出し方向
１０  ゴルフの補助用具セット
２０  本体部
２２  第１の直線
２３  第２の直線
２５  磁石
２６  切り欠き部
３０  ホルダ部
３３  位置決め線
４０  帽子
４１  ツバ
５０  ボール
５２  足
６０  小球体
６１  収納部
７０  ゴルフの補助用具セット
【図１】
0003169010.tif 000003
【図２】
0003169010.tif 000004
【図３】
0003169010.tif 000005
【図４】
0003169010.tif 000006
【図５】
0003169010.tif 000007
【図６】
0003169010.tif 000008
【図７】
0003169010.tif 000009
【図８】
0003169010.tif 000010
【図９】
0003169010.tif 000011